(57)【要約】【課題】高コントラストの断層撮影を行えるＸ線ＣＴ装置およびＸ線ＣＴ方法を提供すること。【解決手段】ヨード造影剤が注入された被験者ＨにＸ線を照射し、上記被験者を透過したＸ線の強度分布に基づいて、上記被験者内の物理量分布を再生するＸ線コンピュータ断層撮像装置において、上記被験者の周りを回転するとともに、上記被験者に向けて第１のＸ線エネルギーを有するＸ線を照射する第１のＸ線照射装置３と、上記被験者の周りを回転するとともに、上記被験者に向けて上記第１のＸ線エネルギーとは異なる第２のＸ線エネルギーを有するＸ線を照射する第２のＸ線照射装置４と、上記第１、第２のＸ線照射装置３、４から照射され、上記被験者を透過したＸ線の強度分布を検出する第１、第２のＸ線検出器７、８と、上記第１、第２のＸ線検出器７、８により検出されたＸ線の強度分布に基づいて、上記被験者内の物理量分布を再生する制御装置１０とを具備する。【選択図】      図１
2005278880.tif 000002
【特許請求の範囲】
【請求項１】
造影剤が注入された被検体にＸ線を照射し、上記被検体を透過したＸ線の強度分布に基づいて、上記被検体内の物理量分布を再生するＸ線コンピュータ断層撮像装置において、
上記被検体の周りを回転するとともに、上記被検体に向けて第１のＸ線エネルギーを有するＸ線を照射する第１のＸ線照射手段と、
上記被検体を挟んで上記第１のＸ線照射手段と対向配置され、上記被検体の周りを上記第１のＸ線照射手段と一体的に回転するとともに、上記第１のＸ線照射手段から照射されて上記被検体を透過したＸ線の強度分布を検出する第１のＸ線検出手段と、
上記被検体の周りを回転するとともに、上記被検体に向けて上記第１のＸ線エネルギーとは異なる第２のＸ線エネルギーを有するＸ線を照射する第２のＸ線照射手段と、
上記被検体を挟んで上記第２のＸ線照射手段と対向配置され、上記被検体の周りを上記第２のＸ線照射手段と一体的に回転するとともに、上記第２のＸ線照射手段から照射されて上記被検体を透過したＸ線の強度分布を検出する第２のＸ線検出手段と、
上記第１、第２のＸ線検出手段により検出されたＸ線の強度分布に基づいて、上記被検体内の物理量分布を再生する再生手段と、
を具備することを特徴とするＸ線コンピュータ断層撮像装置。
【請求項２】
上記再生手段は、上記第１のＸ線検出手段により検出されたＸ線の強度分布と、上記第２のＸ線検出手段により検出されたＸ線の強度分布との差分をとり、この差分に基づいて上記被検体内の物理量分布を再生することを特徴とする請求項１記載のＸ線コンピュータ断層撮像装置。
【請求項３】
上記第１のＸ線エネルギーは、上記造影剤のＸ線吸収端を挟んでＸ線吸収端外直近のエネルギー値の大きい部分およびＸ線吸収端外直近のエネルギー値の小さい部分の何れか一方の領域に強度のピークを有し、上記第２のＸ線エネルギーは、上記造影剤のＸ線吸収端を挟んでＸ線吸収端外直近のエネルギー値の大きい部分およびＸ線吸収端外直近のエネルギー値の小さい部分のうち、第１のＸ線エネルギーのピーク付近の領域ではない方の領域に強度のピークを有していることを特徴とする請求項１記載のＸ線コンピュータ断層撮像装置。
【請求項４】
被検体にＸ線を照射し、上記被検体を透過したＸ線の強度分布に基づいて、上記被検体内の物理量分布を再生するＸ線コンピュータ断層撮像装置において、
上記被検体の周りを回転しながら、上記被検体に向けてＸ線を照射する第１のＸ線照射手段と、
上記第１のＸ線照射手段と対向配置され、上記被検体の周りを上記第１のＸ線照射手段と一体的に回転しながら、上記第１のＸ線照射手段から照射されて上記被検体を透過したＸ線の強度分布を検出する第１のＸ線検出手段と、
上記被検体の周りを回転しながら、上記被検体に向けてＸ線を照射する第２のＸ線照射手段と、
上記第２のＸ線照射手段と対向配置され、上記被検体の周りを上記第２のＸ線照射手段と一体的に回転しながら、上記第２のＸ線照射手段から照射されて上記被検体を透過したＸ線の強度分布を検出する第２のＸ線検出手段と、
を具備し、
上記第１のＸ線照射手段と上記第２のＸ線検出手段、および上記第２のＸ線照射手段と上記第１のＸ線検出手段を上記被検体の周方向に対して近接したことを特徴とするＸ線コンピュータ断層撮像装置。
【請求項５】
造影剤が注入された被検体にＸ線を照射し、上記被検体を透過したＸ線の強度分布に基づいて、上記被検体内の物理量分布を再生するＸ線コンピュータ断層撮像装置において、
上記被検体の周りを回転するとともに、上記被検体に向けてＸ線エネルギーを有するＸ線を照射するＸ線照射手段と、
上記被検体を挟んで上記Ｘ線照射手段と対向配置され、上記被検体の周りを上記Ｘ線照射手段と一体的に回転するとともに、上記Ｘ線照射手段から照射されて上記被検体を透過したＸ線の強度分布を検出するＸ線検出手段と、
上記Ｘ線検出手段により検出されたＸ線の強度分布に基づいて、上記被検体内の物理量分布を再生する再生手段と、
上記Ｘ線エネルギーのエネルギー量を変化させるエネルギーの切替手段と、
を具備することを特徴とするＸ線コンピュータ断層撮像装置。
【請求項６】
造影剤が注入された被検体にＸ線を照射し、上記被検体を透過したＸ線の強度分布に基づいて、上記被検体内の物理量分布を再生するＸ線コンピュータ断層撮像方法において、
上記被検体に向けて異なるエネルギーを有する複数種のＸ線を照射する照射工程と、
上記被検体を透過したＸ線の強度分布を上記種類ごとに検出する検出工程と、
上記強度分布間の差分を取得する差分取得工程と、
上記差分に基づいて上記被検体内の物理量分布を再生する再生工程と、
を具備することを特徴とするＸ線コンピュータ断層撮像方法。
【発明の詳細な説明】
【技術分野】
【０００１】
本発明は、被検体を透過したＸ線の強度分布から被検体内の物理量分布を再生するＸ線コンピュータ断層撮像装置およびＸ線コンピュータ断層撮像方法に関する。
【背景技術】
【０００２】
血管内に造影剤を注入してＸ線撮影を行う検査法が知られている。この検査法は、アンジオグラフィー型と呼ばれており、生体組織や血管に対する造影剤の吸収率の差をコントラストとして検出できるため、心臓、動脈、静脈などの循環器系自体の病変や血行動態、各臓器の病変の存在診断、および質的診断などに用いられている。
【０００３】
現在、アンジオグラフィー型の検査装置として、大型電子線加速器や電子線蓄積リングから照射される放射光を２つに分光して被検体に照射し、上記被検体を透過したＸ線の強度分布の差分をとることで、検査対象部を高いコントラストで撮影する装置が開示されている。
【０００４】
しかしながら、この検査装置は、断層撮影を行えないばかりか、大型電子加速器や電子線蓄積リングを必要とするため、装置の構成が大型化してしまう。
【０００５】
そこで近年、この問題を解決したアンジオグラフィー型の検査装置として、１組のＸ線源とＸ線検出器を被験者の周りで回転させて検査対象部の断層撮影を行うＸ線コンピュータ断層撮像装置の構成が開示されている（例えば、非特許文献１参照。）。
【非特許文献１】“マルチスライスＣＴ稼動中の現場から”藤田保健衛生大学病院放射線部  井田義宏
【発明の開示】
【発明が解決しようとする課題】
【０００６】
しかしながら、上述したアンジオグラフィー型のＸ線コンピュータ断層撮像装置では、生体組織や血管に対する投影剤の吸収率にあまり差が無い場合、十分なコントラストが得られないという問題があった。
【０００７】
本発明は、上記事情を鑑みてなされたものであって、その目的とするところは、高コントラストの断層撮影を行えるＸ線コンピュータ断層撮像装置およびＸ線コンピュータ断層撮像方法を提供することにある。
【課題を解決するための手段】
【０００８】
上記課題を解決し目的を達成するために、本発明のＸ線コンピュータ断層撮像装置およびＸ線コンピュータ断層撮像方法は次のように構成されている。
【０００９】
（１）造影剤が注入された被検体にＸ線を照射し、上記被検体を透過したＸ線の強度分布に基づいて、上記被検体内の物理量分布を再生するＸ線コンピュータ断層撮像装置において、上記被検体の周りを回転するとともに、上記被検体に向けて第１のＸ線エネルギーを有するＸ線を照射する第１のＸ線照射手段と、上記被検体を挟んで上記第１のＸ線照射手段と対向配置され、上記被検体の周りを上記第１のＸ線照射手段と一体的に回転するとともに、上記第１のＸ線照射手段から照射されて上記被検体を透過したＸ線の強度分布を検出する第１のＸ線検出手段と、上記被検体の周りを回転するとともに、上記被検体に向けて上記第１のＸ線エネルギーとは異なる第２のＸ線エネルギーを有するＸ線を照射する第２のＸ線照射手段と、上記被検体を挟んで上記第２のＸ線照射手段と対向配置され、上記被検体の周りを上記第２のＸ線照射手段と一体的に回転するとともに、上記第２のＸ線照射手段から照射されて上記被検体を透過したＸ線の強度分布を検出する第２のＸ線検出手段と、上記第１、第２のＸ線検出手段により検出されたＸ線の強度分布に基づいて、上記被検体内の物理量分布を再生する再生手段とを具備することを特徴とする。
【００１０】
（２）（１）に記載さえたＸ線コンピュータ断層撮像装置であって、上記再生手段は、上記第１のＸ線検出手段により検出されたＸ線の強度分布と、上記第２のＸ線検出手段により検出されたＸ線の強度分布との差分をとり、この差分に基づいて上記被検体内の物理量分布を再生することを特徴とする。
【００１１】
（３）（１）に記載されたＸ線コンピュータ断層撮像装置であって、上記第１のＸ線エネルギーは、上記造影剤のＸ線吸収端を挟んでＸ線吸収端外直近のエネルギー値の大きい部分およびＸ線吸収端外直近のエネルギー値の小さい部分の何れか一方の領域に強度のピークを有し、上記第２のＸ線エネルギーは、上記造影剤のＸ線吸収端を挟んでＸ線吸収端外直近のエネルギー値の大きい部分およびＸ線吸収端外直近のエネルギー値の小さい部分のうち、第１のＸ線エネルギーのピーク付近の領域ではない方の領域に強度のピークを有していることを特徴とする。
【００１２】
（４）被検体にＸ線を照射し、上記被検体を透過したＸ線の強度分布に基づいて、上記被検体内の物理量分布を再生するＸ線コンピュータ断層撮像装置において、上記被検体の周りを回転しながら、上記被検体に向けてＸ線を照射する第１のＸ線照射手段と、上記第１のＸ線照射手段と対向配置され、上記被検体の周りを上記第１のＸ線照射手段と一体的に回転しながら、上記第１のＸ線照射手段から照射されて上記被検体を透過したＸ線の強度分布を検出する第１のＸ線検出手段と、上記被検体の周りを回転しながら、上記被検体に向けてＸ線を照射する第２のＸ線照射手段と、上記第２のＸ線照射手段と対向配置され、上記被検体の周りを上記第２のＸ線照射手段と一体的に回転しながら、上記第２のＸ線照射手段から照射されて上記被検体を透過したＸ線の強度分布を検出する第２のＸ線検出手段とを具備し、上記第１のＸ線照射手段と上記第２のＸ線検出手段、および上記第２のＸ線照射手段と上記第１のＸ線検出手段を上記被検体の周方向に対して近接したことを特徴とする。
【００１３】
（５）造影剤が注入された被検体にＸ線を照射し、上記被検体を透過したＸ線の強度分布に基づいて、上記被検体内の物理量分布を再生するＸ線コンピュータ断層撮像装置において、上記被検体の周りを回転するとともに、上記被検体に向けてＸ線エネルギーを有するＸ線を照射するＸ線照射手段と、上記被検体を挟んで上記Ｘ線照射手段と対向配置され、上記被検体の周りを上記Ｘ線照射手段と一体的に回転するとともに、上記Ｘ線照射手段から照射されて上記被検体を透過したＸ線の強度分布を検出するＸ線検出手段と、上記Ｘ線検出手段により検出されたＸ線の強度分布に基づいて、上記被検体内の物理量分布を再生する再生手段と、上記Ｘ線エネルギーのエネルギー量を変化させるエネルギーの切替手段とを具備することを特徴とする。
【００１４】
（６）造影剤が注入された被検体にＸ線を照射し、上記被検体を透過したＸ線の強度分布に基づいて、上記被検体内の物理量分布を再生するＸ線コンピュータ断層撮像方法において、上記被検体に向けて異なるエネルギーを有する複数種のＸ線を照射する照射工程と、上記被検体を透過したＸ線の強度分布を上記種類ごとに検出する検出工程と、上記強度分布間の差分を取得する差分取得工程と、上記差分に基づいて上記被検体内の物理量分布を再生する再生工程とを具備することを特徴とする。
【発明の効果】
【００１５】
本発明によれば、高コントラストの断層撮影を行うことができる。
【発明を実施するための最良の形態】
【００１６】
以下、図面を参照しながら本発明を実施するための最良の形態を説明する。
【００１７】
まず、図１〜図５を用いて本発明の第１の実施の形態を説明する。
【００１８】
図１は本発明の第１の実施の形態に係るＸ線コンピュータ断層撮像装置の全体図、図２は図１をＡ−Ａ線に沿って切断した断面図である。
【００１９】
図１と図２に示すように、このＸ線コンピュータ断層撮像装置（以下、「Ｘ線ＣＴ装置」と称する。）は回転体１を有している。この回転体１はリング状に形成されており、その軸心線が略水平となるように配置されている。この回転体１には、駆動装置（図示しない）が設けられており、この駆動装置を作動することにより、上記軸心線を中心として所望の速度で回転できるようになっている。
【００２０】
回転体１の内側には、被験者Ｈ（被検体）が横臥するための寝台２が略水平に設けられている。この寝台２は、回転体１の軸心線の方向に対して移動可能な構造となっており、駆動装置（図示しない）を作動することで、寝台２上の被験者Ｈを回転体１に対して位置決めできるようになっている。なお、被験者Ｈの検査対象部付近の血管内には、ヨウ素を含有するヨード造影剤（造影剤）が注入されている。
【００２１】
図３は同実施の形態に係るＸ線のエネルギーとヨウ素、骨、筋肉のＸ線吸収係数の関係を示すグラフ図である。
【００２２】
図３に示すように、Ｘ線エネルギーが３３．１７［ｋｅＶ］となる近辺で、ヨウ素のＸ線吸収係数が急激に変化していることがわかる。以下、このＸ線吸収係数が急激に変化するときのＸ線エネルギー（３３．１７［ｋｅＶ］）を「Ｘ線Ｋ吸収端エネルギーＩ０  」と呼ぶことにする。
【００２３】
なお、Ｘ線吸収端とは、物質によるＸ線の吸収スペクトルを測定したとき、吸収係数（すなわち吸収）が急激に増加するときのエネルギーのことであり、Ｘ線Ｋ吸収端エネルギーは、Ｘ線によってＫ殻から電子がたたき出されるときの、Ｋ殻上の電子によるＸ線の吸収が不連続に変化するときのエネルギーのことである。
【００２４】
図１と図２に示すように、回転体１の内周面には、第１のＸ線照射装置３（第１のＸ線照射手段）と第２のＸ線照射装置４（第２のＸ線照射手段）が設けられている。これら第１、第２のＸ線照射装置３、４は、回転体１の周方向に対して角度θだけずれて配置されており、その出射口は共に被験者Ｈに向けられている。
【００２５】
なお、角度θは、第１のＸ線照射装置３と第２のＸ線検出器８（後述する）、および第２のＸ線照射装置４と第１のＸ線検出器７（後述する）が干渉し合わない範囲で大きい方が好ましい。すなわち、角度θの余角φは小さい方が好ましい。
【００２６】
図４は同実施の形態に係る第１、第２のＸ線照射装置３、４の構成図である。
【００２７】
図４に示すように、第１、第２のＸ線照射装置３、４は、電子銃５とターゲット材６を有している。これら電子銃５とターゲット材６は対向配置されており、電子銃５からターゲット材６に電子線を照射すると、電子線のエネルギーの一部がＸ線となってターゲット材６表面から出射する。
【００２８】
このＸ線のエネルギーは、ターゲット材６の素材によって決まるものである。そこで、本実施の形態では、第１のＸ線照射装置３に搭載されるターゲット材６の素材としてセリウムを用い、第２のＸ線照射装置４に搭載されるターゲット材６の素材としてバリウムを用いている。
【００２９】
この素材の選択によって、図３に示すように、第１のＸ線照射装置３から出射するＸ線のエネルギー（以下、「第１のＸ線エネルギー」と称する。）は、Ｘ線Ｋ吸収端エネルギーＩ０  の直上、すなわちＸ線吸収端を挟んで吸収端外直近のエネルギー値の大きい部分に、強度のピーク値Ｉ１  （３４．７２［ｋｅＶ］）を持ち、第２のＸ線照射装置４から出射するＸ線のエネルギー（以下、「第２のＸ線エネルギー」と称する。）は、Ｘ線Ｋ吸収端エネルギーＩ０  の直下、すなわちＸ線吸収端を挟んで吸収端外直近のエネルギー値の小さい部分に、強度のピーク値Ｉ２  （３２．０７［ｋｅＶ］）を持つことになる。
【００３０】
また、図１に示すように、回転体１の内周面には、第１のＸ線検出器７（第１のＸ線検出手段）と第２のＸ線検出器８（第２のＸ線検出手段）が設けられている。これら第１のＸ線検出器７と第２のＸ線検出器８は、それぞれ第１のＸ線照射装置３と第２のＸ線照射装置４と対向しており、その検出面は第１、第２Ｘ線照射装置３、４側に向けられている。
【００３１】
第１、第２のＸ線検出器７、８は、複数のシンチレータ９により構成される。これらシンチレータ９は略隙間無く並設されており、各々がその検出面に入射するＸ線の強度をそれぞれ電気信号に変換して出力することで、Ｘ線の空間的な強度分布を電気信号として検出できるようになっている。
【００３２】
そして、各シンチレータ９から出力される電気信号は、制御装置１０により種々の処理がなされることで、検査対象部の断層画像となってモニタ１１に映し出されるようになっている。なお、制御装置１０が行う処理内容は、以下の作用説明の欄で詳細に述べることにする。
【００３３】
次に、上記構成のＸ線ＣＴ装置を使用する際の作用について説明する。
【００３４】
Ｘ線ＣＴ装置を用いて被験者Ｈの断層撮影を行う場合、予め検査対象部付近の血管内にヨード造影剤を注入しておく。
【００３５】
寝台２上に被験者Ｈが横臥したら、回転体１を被験者Ｈの周りで回転させながら、第１のＸ線照射装置３と第２のＸ線照射装置４から一定時間ごとにＸ線を出射する。これによって、回転体１が被験者Ｈの周りを１周する間に、被験者ＨにはＸ線が複数回照射される。なお、第１のＸ線照射装置３と第２のＸ線照射装置４からのＸ線の出射のタイミングは同時でもばらばらでも良いが、同時に出射することで時間を短縮することができる。
【００３６】
被験者Ｈに順次照射されるＸ線は、被験者Ｈを透過する際に生体組織や血管中の造影剤に吸収され、強度が低下した後にそれぞれ第１、第２のＸ線検出器７、８により検出される。そのため、第１、第２のＸ線検出器７、８が検出するＸ線には、検査対象部に応じて空間的な強度分布が生じている。
【００３７】
第１、第２のＸ線検出器７、８により検出された強度分布は、各シンチレータ９の光電変換作用により電気信号に変換され、順次制御装置１０に入力される。この制御装置１０は、第１のＸ線検出器７が検出した複数の強度分布を合成して、検査対象部における第１の断層画像を作成するとともに、第２のＸ線検出器８が検出した複数のＸ線の強度分布を合成して検査対象部における第２の断層画像を作成する。
【００３８】
次に、この制御装置１０は、第１の断層画像と第２の断層画像との差分をとり、検査対象部の診断画像を作成する。
【００３９】
ところで、図３に示すように、第１のＸ線エネルギーのピーク値Ｉ１  はＸ線Ｋ吸収端エネルギーＩ０  の直上の値であり、第２のＸ線エネルギーのピーク値Ｉ２  はＸ線Ｋ吸収端エネルギーＩ０  の直下の値である。そのため、ヨウ素のＸ線吸収係数は、第１のＸ線エネルギーを照射した場合と第２のＸ線エネルギーを照射した場合で極端に異なっている。一方、被験者Ｈを構成する骨や筋肉のＸ線吸収係数は、第１のＸ線エネルギーを照射した場合と第２のエネルギーを照射した場合とで殆んど差がない。
【００４０】
そのため、第１の断層画像と第２の断層画像との差分をとると、骨や筋肉などを示すＸ線の強度分布は相殺されるから、診断画像には造影剤を多く含む血管のみが高コントラストで映し出される。この診断画像は、処理結果としてモニタ１１に出力され、医者などの診断材料として活用される。
【００４１】
本実施の形態に係るＸ線ＣＴ装置によれば、ヨード造影剤が注入された被験者Ｈに対して、その周囲を回転する第１、第２のＸ線照射装置３、４から第１のＸ線エネルギー、第２のＸ線エネルギーを有するＸ線を様々な角度から照射し、第１のＸ線検出器７が検出した複数の強度分布に基づいて検査対象部の第１の断層画像を作成するとともに、第２のＸ線検出器８が検出した複数の強度分布に基づいて検査対象部の第２の断層画像を作成し、さらに、これら第１、第２の断層画像の差分をとることで、検査対象部を高コントラストで表示する診断画像を作成している。
【００４２】
すなわち、本実施の形態に係るＸ線ＣＴ装置は、アンジオグラフィー型で、かつ２つのエネルギーのＸ線を用いたＸ線ＣＴ装置である。
【００４３】
そのため、従来よりも、高コントラストの断層撮影を行うことができる。
【００４４】
また、第１のＸ線照射装置３と第２のＸ線照射装置４を回転体１の周方向に対してできるだけ大きくずらして配置している。そのため、第１のＸ線照射装置３と第２のＸ線検出器８の間の角度φ、および第２のＸ線照射装置４と第１のＸ線検出器７の間の角度φが小さくなる。
【００４５】
その結果、第１のＸ線照射装置３から出射したＸ線が被験者Ｈの表面で反射しても、その反射光が第２のＸ線検出器８に入り難くなり、また第２のＸ線照射装置４から出射したＸ線が被験者Ｈの表面で反射しても、その反射光が第１のＸ線検出器７に入り難くなるから、反射光によるノイズが低減して、より鮮明な断層撮影を行うことができる。
【００４６】
図５は同実施の形態に係る被験者Ｈを主に構成する炭素にＸ線を照射した場合における、Ｘ線の入射角度と反射係数との関係を示すグラフ図である。
【００４７】
図５に示すように、Ｘ線の照射角度が小さくなると、その反射率が徐々に大きくなっていくのがわかる。この反射率は１０−１９オーダーと極めて小さいが、Ｘ線の波長が長くなると、数パーセントまで上昇することが確認されている。
【００４８】
しかしながら、本実施の形態では、上述のような配置にすることで、被験者Ｈに対するＸ線の入射角度を大きくしているから、長い波長のＸ線を用いた場合であっても、Ｘ線検出器７、８が反射光をひろって断層撮影を不鮮明にすることがない。
【００４９】
次に、図６を用いて本発明の第２の実施の形態を説明する。なお、ここでは上記実施の形態と同じ構成、作用については、その説明を省略する。
【００５０】
図６は本発明の第２の実施の形態に係るＸ線ＣＴ装置の全体図である。
【００５１】
図６に示すように、このＸ線ＣＴ装置は、回転体１の内周面に、Ｘ線照射装置２１（Ｘ線照射手段）とＸ線検出器２２（Ｘ線検出手段）を備えている。これらＸ線照射装置２１とＸ線検出器２２は対向配置されており、回転体１と一体的に被験者Ｈの周囲を回転できるようになっている。
【００５２】
Ｘ線照射装置２１には切換装置２３（切換手段）が接続されている。この切換装置２３は、制御装置１０からの指令に従ってＸ線照射装置２１から出射されるＸ線のエネルギーを第１のＸ線エネルギーと第２のＸ線エネルギーに変換するものである。
【００５３】
このような構成でも、上記第１の実施の形態と殆んど同じ効果を得ることができる。しかしながら、Ｘ線検出器２２が１つしかないため、２種類のエネルギーのＸ線を同時に行うことができないから、本発明に係るＸ線コンピュータ断層撮像方法により被験者Ｈの検査対象部の断層撮影を行うためには、回転体１を２周する必要がある。
【００５４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００５５】
例えば、回転体１に３つ以上のＸ線照射装置と、これらＸ線照射装置から照射されたＸ線を検出するＸ線検出器をそれぞれ設けて、これらのＸ線照射装置とＸ線検出器を用いて被験者Ｈの断層撮影を行うようにしてもよい。
【００５６】
また、細胞組織と血管に対するヨード造影剤の吸収率に大きな差があれば、上記実施の形態ように第１の断層画像と第２の断層画像の差分をとらなくても、十分高いコントラストで断層撮影を行うことができる。
【００５７】
この場合、第１のＸ線照射装置と第２のＸ線照射装置から同じエネルギーのＸ線を照射し、被験者Ｈの周りで回転体１を１／２周すれば、全ての方向から被験者Ｈに向けてＸ線が照射されるから、撮影に要する時間を１／２程度に短縮することができる。
【００５８】
さらに、ヨウ素を含有する造影剤の代わりに、ガドリニウムを含有する造影剤を使用してもよい。
【図面の簡単な説明】
【００５９】
【図１】本発明の第１の実施の形態に係るＸ線コンピュータ断層撮像装置の全体図。
【図２】図１をＡ−Ａ線に沿って切断した断面図。
【図３】同実施の形態に係るＸ線のエネルギーとヨウ素、骨、筋肉のＸ線吸収係数の関係を示すグラフ図。
【図４】同実施の形態に係る第１、第２のＸ線照射装置の構成図。
【図５】同実施の形態に係る被験者を主に構成する炭素にＸ線を照射した場合における、Ｘ線の入射角度と反射係数との関係を示すグラフ図。
【図６】本発明の第２の実施の形態に係るＸ線ＣＴ装置の全体図。
【符号の説明】
【００６０】
３…第１のＸ線照射装置（第１のＸ線照射手段）、４…第２のＸ線照射装置（第２のＸ線照射手段）、７…第１のＸ線検出器（第１のＸ線検出手段）、８…第２のＸ線検出器（第２のＸ線検出手段）、１０…制御装置（再生手段）、２１…Ｘ線照射装置（Ｘ線照射手段）、２２…Ｘ線検出器（Ｘ線検出手段）、２３…切換装置（切換手段）、Ｈ…被験者（被検体）、Ｉ０  …Ｘ線Ｋ吸収端エネルギー（Ｘ線吸収端エネルギー）、Ｉ１  …第１のＸ線エネルギーの強度のピーク値、Ｉ２  …第２のＸ線エネルギーの強度のピーク値。
【図１】
2005278880.tif 000003
【図２】
2005278880.tif 000004
【図３】
2005278880.tif 000005
【図４】
2005278880.tif 000006
【図５】
2005278880.tif 000007
【図６】
2005278880.tif 000008